(57)【特許請求の範囲】
【請求項１】
結合部と挿入部が一体に提供されて所望の積層物を組み立てていくように適用される単位ブロックにおいて、
前記単位ブロックが前記挿入部と前記結合部が一体に提供されるが、前記結合部の内側に前記挿入部が嵌められる壁厚さの範囲で前記結合部の上端で前記挿入部が結合部の外壁の厚さだけ狭くなって一体化する構造をなし、前記結合部及び前記挿入部の４つの側面は貫通結合孔が形成され、前記貫通結合孔の上下左右には部分拡管部が形成され、前記結合部の外壁の表面中央部には内部拡張凹溝を有する構造を有するように提供されて前記貫通結合孔に結合支持軸が嵌められて組み立てられ、前記内部拡張凹溝には補助結合ピンが嵌められて堅固な結合構成をなすように適用されることを特徴とする単位ブロック。
【請求項２】
前記内部拡張凹溝は、結合部の表面中央部に前記貫通結合孔の円周方向に『┫』形状に形成され、他の単位ブロックと垂直に結合される時、前記結合部の表面に形成された『┫』形状の前記内部拡張凹溝に補助結合ピンが嵌められて結合強度を高めるように適用されることを特徴とする請求項１に記載の単位ブロック。
【請求項３】
前記補助結合ピンはＨ字状の結合支持片をさらに含み、前記単位ブロックが他の隣接単位ブロックと結合される時、前記Ｈ字状の結合支持片を利用して隣接単位ブロックと結合させる構成であることを特徴とする、請求項１に記載の単位ブロック。
【請求項４】
結合部と挿入部が一体に提供される単位ブロックの結合方法において、
挿入部が結合部の内側に嵌められる大きさで結合部の上端で挿入部が結合部の外壁だけ狭くなって一体をなす単位ブロックの結合部及び挿入部の４つの側面は貫通結合孔が形成され、貫通結合孔の上下左右には部分拡管部が形成される構造の単位ブロックをなし、表面に部分突起部を有する支持軸を利用して他の単位ブロックと結合される時、結合部の貫通結合孔に形成された部分拡管部に前記支持軸の表面に形成された部分突起部が嵌められ、結合強度を高めるように適用されることを特徴とする単位ブロックの結合方法。
【発明の詳細な説明】
【技術分野】
【０００１】
本発明は、積層可能な組立式単位ブロックに関し、特に単位ブロックにおいて結合部と挿入部が一体に提供されるが、挿入部が結合部の内側に嵌められる大きさで結合部の上端で挿入部が内側へ狭くなって一体をなす構造で提供され、結合部及び挿入部の４つの側面は円形の貫通結合孔が形成され、貫通結合孔の上下左右には部分拡管部が形成され、結合部の表面中央部には内部拡張凹溝を有する構造で提供される単位ブロックを利用して、幼稚園で子供用おもちゃの組み立てブロックとして適用するか、または児童が家具やビルなど所望の多様な形状を組み立てて具現することができ、生徒たちにとっては自ら利用可能な鉄棒構造やクライミング運動器具などを作って楽しむことができる単位ブロック及びこれを利用した結合方法や利用方法が開示される。
【背景技術】
【０００２】
一般的に、様々な形態を嵌め合わせ、それを分解しながら遊ぶ玩具を組み立て玩具と呼び、組み立て玩具を構成する材料は、紙、木、金属、プラスチックなど多様である。
【０００３】
子供は２〜３歳の時から物を並べたり、積み上げたりして遊ぶが、そのような創造力を高めて育成するために積み木遊び、形合わせ、はめ絵（ジクソーパズル）、粘土遊び、キビがら細工などの組み立て玩具があり、汽車、自動車などの乗り物と建築物などの形態を模倣した組み合わせ式の組み立て玩具も多く提示されている。
【０００４】
幼児用玩具の多くが組み立て玩具であり、幼稚園の遊び教材としてもよく用いられ、６歳以上の児童のためには、プラスチックモデル、模型飛行機、精巧な電気機関車などの組み立て玩具が提示されてきたところ、例えば、米国特許ＵＳ３，００５，２８２号、ＵＳ３，０３４，２５４号及びＵＳ３，５９７，８７５号などでは、多層に重ねて積み上げることができるおもちゃのビルディングブリック（ｂｕｉｌｄｉｎｇ  ｂｒｉｃｋｓ）が提示されている。
【０００５】
また、国際公開番号ＷＯ１９９７／０１３８３号には、組み合わせ玩具として、側面で同一の溝を有する形状に正四角形及び三角形からなった多数のビルディングブロックを連結する時、対称的な断面を利用してそれぞれが有する連結要素を利用して一体に連結させる技術が開示されている。
【０００６】
韓国公開特許番号１０-２０１３-０１０５１５８号には、組立式の子供用プレイハウスとして、直方形状または正方形状に備えられ、その一側に結合突起を構成し、他側に結合溝を構成し、上側にダンボール屋根部材の第１屋根結合溝と結合される屋根結合突起を構成した複数のダンボール側壁部材と上側が三角錘形状を有するように直方形状または正方形状に備えられて上部の一側と他側のそれぞれにダンボール屋根部材の第２屋根結合溝との結合のための屋根結合突起を構成し、下部の一側に結合突起を構成し、下部の他側に結合溝を構成するが、中心部に扉を備えたダンボール前面部材の上側が三角錘形状を有するように直方形状または正方形状に備えられて上部の一側と他側のそれぞれにダンボール屋根部材の第２屋根結合溝との結合のための屋根結合突起を構成し、下部の一側に結合突起を構成し、下部の他側に結合溝を構成し、中心部に窓を備えたダンボール後面部材と直方形状に構成されて、その中心部の一側面から他側面へ屋根折りすじを形成し、屋根折りすじと対向される一側と他側のそれぞれにダンボール側面部材の屋根結合突起を収容して結合する第１屋根結合溝を構成し、屋根折りすじを中心から対称されるように折りすじの上側と下側に複数の第２屋根結合溝を備えたダンボール屋根部材を有し、ダンボール部材の外側縁に結合突起と結合溝を有する複数の組立式ダンボール部材を利用してハウスを完成する遊び道具が開示されている。
【０００７】
しかし、前記のように、従来に提供される子供のおもちゃやまたは複数の部品をマニュアルによって組み立てながら完成していく組立式完成品は、定型化した形状を具現するようにマニュアルが提示されているため、子供や生徒たちが自らのアイディアを利用して創意的な組み立て玩具を完成することが難しく、一再使用してその組み立て原理を理解すると、すぐに飽きてしまうという問題点がある。
【発明の概要】
【発明が解決しようとする課題】
【０００８】
本発明の目的は、使用者がマニュアルに基づき、組立式完成品を完成していく画一的な形態で適用される組立式玩具ではなく、使用者が飽きることなく、創造力を発揮して多様な物を具現するように結合部と挿入部が特殊構造と形状で提供され、これを結合させるための多様な付属品を有する単位ブロックを提供しようとする目的を有する。
【０００９】
また本発明は、従来の単位ブロックが単なる組み立てと分解が繰り返される構造だけでなく、単位ブロックと単位ブロックとの間の垂直結合または水平結合の際に結合強度を高めることができる特殊構造をなし、単位ブロックと単位ブロックとを様々な付属品を利用して組み立て者が実製品を作り、遊び道具を組み立てながら楽しめたり、または実際の運動に適用する形で現場感のあるように適用可能な単位ブロックとその結合方法及び利用方法を提供しようとする目的を有する。
【課題を解決するための手段】
【００１０】
本発明で提供される単位ブロックは、子供にとっては組立式幼児用品として、または児童にとっては様々な模様を作ることができる組み立て玩具として、あるいは青少年にとってはクライミングルートを作るビルディングブロック（ｂｕｉｌｄｉｎｇ  ｂｌｏｃｋ）などを作って用いるのに利用されることができ、その他の建物や家具、装備または車両築造などにも使用可能な技術思想の発明である。
【００１１】
本発明は、結合部と挿入部が一体に結合されて用いられるように提供される単位ブロックに関するものであって、挿入部が結合部の内側に嵌められる大きさで結合部の上端で挿入部が結合部の外壁だけ狭くなって一体化する構造をなし、結合部及び挿入部の４つの側面は円形の貫通結合孔が形成され、貫通結合孔の上下左右には部分拡管部が形成され、結合部の外壁の表面中央部には内部拡張凹溝を有する構造の単位ブロックを利用して様々な形状の模様や構造を提供可能であることを確認して完成した発明である。
【００１２】
本発明は、結合部と挿入部が一体に提供される単位ブロックの結合方法であって、挿入部が結合部の内側に嵌められる大きさで結合部の上端で挿入部が結合部の外壁だけ狭まくなって一体をなす単位ブロックの結合部及び挿入部の４つの側面は円形の貫通結合孔が形成され、貫通結合孔の一部には部分突出部が形成され、結合部の表面中央部には『┫』形状の内部拡張凹溝を有する構造の単位ブロックをなし、他の単位ブロックと垂直に結合される時、結合部の表面に形成された『┫』形状の内部拡張凹溝に『┫』形状やＨ字状の結合支持片が嵌められて結合強度を高めるように適用されるか、または挿入部が結合部の内側に嵌められる大きさで結合部の上端で挿入部が結合部の外壁だけ狭くなって一体をなす単位ブロックの結合部及び挿入部の４つの側面は円形の貫通結合孔が形成され、貫通結合孔の上下左右には部分拡管部が形成される構造の単位ブロックをなし、表面に部分突起部を有する支持軸を利用して他の単位ブロックと水平に結合される時、結合部の貫通結合孔に形成された部分拡管部に支持軸の表面に形成された部分突起部が嵌められ、結合強度を高めるように適用され得る。
【００１３】
したがって、本発明は、結合部と挿入部が一体に提供される単位ブロックの利用方法であって、挿入部が結合部の内側に嵌められる大きさで結合部の上端で挿入部が結合部の外壁だけ狭くなって一体をなす単位ブロックの結合部及び挿入部の４つの側面は円形の貫通結合孔が形成され、貫通結合孔の上下左右には部分拡管部が形成され、結合部の表面中央部には『┫』形状の内部拡張凹溝を有する構造の単位ブロックをなし、他の単位ブロックと垂直に結合される時は結合部の表面に形成された『┫』形状の内部拡張凹溝に『┫』形状の支持片やＨ字状の結合支持片が嵌められて結合され、他の単位ブロックと水平に結合される時は結合部の貫通結合孔に形成された部分拡管部に支持軸の表面に形成された部分突起部が嵌められ、高い結合力を確保するように適用され得る。
【００１４】
その他、本発明の技術思想が具体的に具現される実施態様は、下記の発明を実施するための具体的な内容の説明において図面を提示して具体的な適用態様を説明する。
【発明の効果】
【００１５】
本発明によれば、幼児用知育ゲームをはじめとする創造力を育てる海外の玩具輸入物品を代替する効果はもちろん、海外へ韓国の玩具製品を輸出する効果を期待できるものと予測される。
【００１６】
韓国産玩具に対する海外バイヤーの細部評価を見ると、組立式玩具の中では堅固でないものが多く、すぐに故障するという問題点を指摘するところ、本発明で提供される単位ブロックは故障の発生要因がなく、単位ブロックと単位ブロックとの間の結合強度を高めて結合させる場合、おもちゃ玩具だけでなく、生徒たちにとっては体育施設としても用いられる効果を提供するものと予測される。
【００１７】
本発明で提供される単位ブロックは、従来利用されるビルディングブロック及びビルディングブロックファスナーと連携される場合、さらに多様な形態の構造と配列を安定的に形成し、外観の美麗なビルディングブロック（ｂｕｉｌｄｉｎｇ  ｂｌｏｃｋ）を提供する素材として活用され得る効果を提供する。
【図面の簡単な説明】
【００１８】
【図１】本発明の技術思想が適用されて提供される単位ブロックの例示図である。
【図２】本発明の技術思想が適用されて提供される単位ブロックの例示図である。
【図３】本発明の技術思想が適用されて提供される単位ブロックの例示図である。
【図４】本発明の技術思想が適用されて提供される単位ブロックの例示図である。
【図５】本発明の技術思想が適用されて提供される一実施例の単位ブロックのサンプル製品と補助結合部品を作って適用させる適用例示図である。
【図６】本発明の技術思想が適用されて提供される一実施例の単位ブロックのサンプル製品と補助結合部品を作って適用させる適用例示図である。
【図７】図５及び図６に提示される単位ブロックのサンプル製品と補助結合部品を作って部分結合に適用させる適用例示図である。
【図８】図５及び図６に提示される単位ブロックのサンプル製品と補助結合部品を作って部分結合に適用させる適用例示図である。
【図９】図５及び図６に提示される単位ブロックのサンプル製品と補助結合部品を作って部分結合に適用させる適用例示図である。
【図１０】図５及び図６に提示される単位ブロックのサンプル製品と補助結合部品を作って部分結合に適用させる適用例示図である。
【図１１】図５及び図６に提示される単位ブロックのサンプル製品と補助結合部品を作って部分結合に適用させる適用例示図である。
【図１２】本発明の技術思想が適用されて提供される単位ブロックと結合部品が利用されてコーン型組立体をなす適用例示図である。
【図１３】本発明の技術思想が適用されて提供される単位ブロックと結合部品が利用されて鉄棒組立体をなす適用例示図である。
【図１４】本発明の技術思想が適用されて提供される単位ブロックと結合部品が利用されて梯子組立体をなす適用例示図である。
【図１５】本発明の技術思想が適用されて提供される単位ブロックと結合部品が利用されて滑り台組立体をなす適用例示図である。
【図１６】本発明の技術思想が適用されて提供される単位ブロックと結合部品が利用されて台車組立体をなす適用例示図である。
【図１７】本発明の技術思想が適用されて提供される単位ブロックと結合部品が利用されてシーソーゲーム器具組立体をなす適用例示図である。
【図１８】本発明の技術思想が適用されて提供される単位ブロックと結合部品が利用されて複合運動器具組立体をなす適用例示図である。
【図１９】本発明の技術思想が適用されて提供される単位ブロックと結合部品が利用されてサッカーゴールポスト組立体をなす適用例示図である。
【図２０】本発明の技術思想が適用されて提供される単位ブロックと結合部品が利用されてバスケットボールゴールネット組立体をなす適用例示図である。
【図２１】本発明の技術思想が適用されて提供される単位ブロックが他の形状の物として提供され得ることを示す適用例示図である。
【図２２】本発明の技術思想が適用されて提供される単位ブロックが他の形状の物として提供され得ることを示す適用例示図である。
【図２３】図２１で提供される単位ブロックを利用して懸垂運動器具組立体を作った適用例示図である。
【発明を実施するための形態】
【００１９】
図１〜図４は、本発明で提供される単位ブロック３０及び単位ブロックの結合をなすための関連部品の斜視図を示したものであり、図５及び図６は、図１〜図４に提示される単位ブロック３０が部分的に上・下結合及び左・右側面結合の適用例を示したものであり、図７〜図１７は実際的に本発明で提供される単位ブロック３０及び関連結合用部品が結合されて様々な種類の物として具現され得る適用例を示したものである。
【００２０】
図１は、本発明の技術思想から提供される単位ブロック３０の側面斜視図を示したものであり、図２は、前記単位ブロック３０の底面が見えるように図示された下部側面斜視図を示したものであり、図３は、本発明で提供される単位ブロック３０の側面に貫通されて複数の単位ブロックを結合させる用途に用いられる結合支持具４０を示したものであり、図４は、本発明で提供される単位ブロック３０の側面部同士を結合させるための補助結合ピン５０の一適用斜視図を示したものである。
【００２１】
本発明は、下部胴体２０と上部胴体１０が一体に提供されて、所望の積層物を組み立てるように適用される単位ブロック３０を提供しようとするものであって、図１に提示される単位ブロック３０の側面斜視図を中心として説明すれば、単位ブロック３０の下部胴体２０は結合部として機能し、上部胴体１０は挿入部として機能するように提供され、結合部である下部胴体２０の内側に挿入部である上部胴体１０が嵌められる構造をなす時、下部胴体２０の外壁の厚さだけ上部胴体１０の四方に狭くなって一体化する構造をなし、結合部である下部胴体２０の４つの側面は貫通結合孔２１が形成され、貫通結合孔２１の上下左右には『┫』形状の内部拡張凹溝２２が長軸溝部２３が形成される構造をなし、挿入部である上部胴体１０の４つの側面は貫通結合孔１１が形成され、貫通結合孔の上下左右には部分拡管部１２が形成され、上部胴体１０の上部面にも貫通結合孔１３及び部分拡管部１４を有する構造で提供される。
【００２２】
図２では、前記単位ブロック３０の底面は空いた空間部２４をなして他の単位ブロック３０と結合される時、他の単位ブロック３０の上部胴体１０が空いた空間部２４に挿入されて結合され得る空間を有する形態で提供され得ることを示したものである。
【００２３】
図３に提示される結合支持具４０は、両端部に４つの部分突起部４１を有するように提供されて、例えば、複数の単位ブロック３０の側面に貫通されている貫通結合孔２１の内部拡張凹溝２２に部分突起部４１が嵌められ、複数の単位ブロックを高い結合強度を維持するように結合させる用途に使用され得る一適用例を示したものである。
【００２４】
図４は、本発明で提供される単位ブロック３０側面部同士を結合させるための補助結合ピン５０の斜視図を示したものであり、本発明で補助結合ピン５０は広い突出片５１及び狭い突出片５２を有する構造で提供されて単位ブロック３０の上・下部同士または側面部同士を結合させる際に高い結合力を維持するように貫通結合孔２１の上下左右に設けられた『┫』形状の内部拡張凹溝２２に補助結合ピン５０の広い突出片５１及び狭い突出片５２が嵌められて結合力を高めるように適用され、使用され得る一適用例を示したものである。
【００２５】
図５及び図６は、本発明の発明者が適用しようとする単位ブロック物品が現実に適用可能であるかを確認するために、本発明の技術思想が適用された一実施例の適用形態で作られた単位ブロックのサンプル製品と補助結合部品を作って適用可能性を確認して作ってみたサンプル製品の模型例示図であって、図５では、一つの単位ブロック３０が挿入部と結合部が一体に提供され、結合部の内側に挿入部が嵌められる壁厚さの範囲で結合部の上端で挿入部が結合部の外壁の厚さだけ狭くなって一体化する構造を有し、結合部及び挿入部の４つの側面は貫通結合孔が形成され、貫通結合孔の上下左右には部分拡管部が二重構造で形成されるが、単位ブロックの外側の貫通結合孔は外側に拡張される凹溝１２ａを有し、内側には部分突出部１２ｂを有する構造で提供され、１段用の単位結合支持具４０ａは一つの単位ブロックに適用されるための構成で単位ブロックの貫通結合孔に形成される凹溝１２ａに嵌められる部分突起部４１を有し、単位ブロックと貫通結合孔の内側に設けられた部分突出部１２ｂは単位結合支持具４０ａの凹溝部４２に嵌められ、二重に結合される構造で適用されることができ、結合部である下部胴体２０の４つの側面の長軸溝部２３には１個単位の短い補助結合ピン５０ａが嵌められ、単位ブロック３０の一側壁は装飾蓋８０により覆われる構造で適用され得ることを簡略例示として示したものである。
【００２６】
図６では、本発明の技術思想で提供される単位ブロック３０が、多様な形態の物をなすために使用され得る様々な形態の部品を示した例示図であって、左側上段の物は一つの単位ブロック３０の貫通結合孔に嵌められる用途に用いられる１段用の単位結合支持具４０ａが部分突起部４１及び凹溝部４２を有する構造で提供される仕様を示したものであり、左側上段から２番目の物は、二つの単位ブロック３０を結合させる時、貫通結合孔に嵌められる用途に用いられる２段用の単位結合支持具４０ｂが部分突起部４１及び凹溝部４２を有する構造で提供される仕様を示したものであり、左側３番目の物は、単位ブロック３０の『┫』形状の内部拡張凹溝２２に結合される短い補助結合ピン５０ａを示したものであり、左側下段の物は二つの単位ブロック３０を結合させる時、単位ブロック３０の『┫』形状の内部拡張凹溝２２に結合されるＨ字状の結合支持片５０ｂを示したものであり、中央上段の物は単位ブロックの上端にある上部胴体１０の外側に仕上げ処理のために嵌められるように提供される上端仕上げブロック６０を示したものであり、中央下段の物は単位ブロックの下端にある下部胴体２０の内側に嵌めて仕上げ処理に用いられる下端仕上げブロック６１を示したものであり、右側上段の物は単位ブロック３０の一側壁を封じたい時に用いられる装飾蓋８０が、内側には傾斜面をなす２つの凸部８１ａ及び８１ｂを有し、外側には平面をなす形態の装飾蓋８０として提供され得ることを示したものであり、右側下段の物は単位ブロックの具現物が車輪９０の構造を必要とする時に用いられる車輪構造を示したものである。
【００２７】
図６に示された部品は、本発明の技術思想で提供される単位ブロック３０を利用して如何なる物を作れるのか確認するための手段として、一つのサンプル製品を作ってみたものであって、有限部品がいくらでも作られて使用され得ることは当然である。
【００２８】
図７〜図１１は、前記図５及び図６に提示される単位ブロック３０及び関連付属部品を利用して、部分的に上・下結合及び左・右側面結合の多様な変形適用態様を示したものであって、図７では、図１に提示された単位ブロック３０の下部胴体２０に設けられた『┫』形状の内部拡張凹溝２２に補助結合ピン５０ａが嵌められるか、補助結合ピン５０ｂが嵌められて結合力を高めるように適用されることができ、また下部胴体２０の一側壁に蓋７１が取り付けられ、下部胴体２０の側壁に形成された貫通結合孔２１に単位結合棒４１が差し込まれる構成として適用され得ることを示したものである。
【００２９】
図８では、前記図７の状態で行われた単位ブロック３０の上部にまた他の単位ブロック３０が嵌められると、２つの単位ブロックが結合されて右側上部の結合ブロックで提供され得ることを示したものである。
【００３０】
図９では、図１に提示された単位ブロック３０の上部胴体１０の上部には、上部仕上げブロック６０が嵌められて仕上げ処理が可能であり、単位ブロック３０の下部胴体２０に底部にある空いた空間部２４には下部仕上げブロック７０が嵌められて仕上げ処理され、単位ブロック３０が側面でまた他の単位ブロック３０と結合される時は、補助結合ピン５０が広い突出片５１＋狭い突出片５２＋広い突出片５１の構造でＨ字状の結合支持片５３が両側の下部胴体２０に設けられた『┫』形状の内部拡張凹溝２２に嵌められて右側図面に示される結合ブロックを形成し得ることを示したものである。
【００３１】
図１０では、単位ブロック３０の下部胴体２０に底部にある空いた空間部２４に下部仕上げブロック７０が嵌められ、仕上げ処理され、別途の外装仕上げブロック６２が嵌められ、『┫』形状の補助結合ピン５０ａまたはＨ字状の結合支持片５０ｂを利用して固定され得ることを示したものである。
【００３２】
図１１では、単位ブロック３０の上部胴体１０に、上部仕上げブロック６０が嵌められた後、他の単位ブロック３０’が横となった形態で結合され得ることを示したものであって、上部仕上げブロック６０の側面と他の単位ブロック３０’の内部拡張凹溝２２にＨ字状の結合支持片５０ｂを利用して隣接した二つの単位ブロック３０を結合させるように適用され得ることを示したものである。
【００３３】
前述のような原理も前記の図５〜図１１に提示された単位ブロック３０及びその結合部品を利用して様々な形状の物を具現することができるところ、図１２〜図２０では、本発明の技術思想が適用されて提供される単位ブロック３０及びその結合部品を利用して様々な形態の物として提供されて児童や生徒たちが物を作ってみるだけでなく、実際にその物を利用して遊びに適用することで、教育過程における興味を高めるように適用され得ることを示したものである。
【００３４】
図１２では、幼児や児童が作ってコーン型遊び道具として適用することができる実施態様を示したものであって、幼児や児童にとって、本発明の技術思想が適用されて提供される単位ブロック３０及びその必要部品を提供し、互いに高低の異なる水平バーを長く並べられるコーン型模様を作らせて、生徒たちが自らの手で実際に高い水平バー及び低い水平バーを順に作っておいて、それを跳び越えたりしながら高低のバランスを区分し、走り競争をしながら遊べるように適用され得ることを示したものであって、上部左側の図面は、コーン型の組立体を上部平面図として示したものであり、上部右側の図面は、コーン型の組立体を複数作って高低のバランスを取って配置された形態の斜視図を示したものであり、下部左側の図面は一つの単位コーン型の組立体の側面図を示したものであり、下部右側の図面は上下２つの水平バーで適用され得る形態の正面図を示したものである。
【００３５】
図１３は、児童が鉄棒を作って懸垂運動器具として適用可能な実施態様を示したものであって、児童に本発明の技術思想が適用されて提供される単位ブロック３０及びその必要部品を提供し、一定の高さを有する鉄棒を作らせて、児童が自らの手で実際に一定の高さで単位ブロック３０を積み上げながら垂直軸及び横軸をなすようにし、左右の垂直軸の間に鉄棒を設置して鉄棒構造を作っておいて、それを利用して懸垂運動を楽しめるように適用され得ることを示したものであり、上部左側の図面は鉄棒組立体を上部平面図として示したものであり、上部右側の図面は鉄棒組立体の斜視図を示したものであり、下部左側の図面は一つの鉄棒組立体の側面図を示したものであり、下部右側の図面は鉄棒組立体が１つの水平バーとして適用され得る形態の正面図を示したものである。
【００３６】
図１４は、児童が梯子構造を作って遊び道具として適用可能な実施態様を示したものであって、児童に、本発明の技術思想が適用されて提供される単位ブロック３０及びその必要部品を提供し、複数の水平バーを横に配列し、安定した構造の梯子を作らせて、児童が自らの手で実際に一定の間隔を有する水平バーを順に配列し、梯子を作っておいて、それを跳び越えたりして走り競争を楽しめるように適用され得ることを示したものであって、上部左側の図面は梯子組立体を上部平面図として示したものであり、上部右側の図面は梯子組立体の斜視図を示したものであり、下部左側の図面は梯子組立体の側面図を示したものであり、下部右側の図面は梯子組立体の正面図を示したものである。
【００３７】
図１５は、幼児や児童が滑り台を作って遊び道具として適用可能な実施態様を示したものであって、幼児や児童に、本発明の技術思想が適用されて提供される単位ブロック３０及びその必要部品を提供し、一側は高く他側は低い滑り台乗り物を作らせて、児童が自らの手で実際に滑り台構造を作って遊べるように適用され得ることを示したものであって、上部左側の図面は滑り台組立体を上部平面図として示したものであり、上部右側の図面は滑り台組立体の斜視図を示したものであり、下部左側の図面は滑り台組立体の側面図を示したものであり、下部右側の図面は滑り台の正面図を示したものである。
【００３８】
図１６は、幼児や児童が台車を作って乗る遊び道具として適用可能な実施態様を示したものであって、幼児や児童に本発明の技術思想が適用されて提供される単位ブロック３０及びその必要部品として円形の車輪を提供し、前後に移動可能な台車を作らせて、児童が自らの手で、実際に動きながら前で牽引する台車を作ってみて、それを引きずりながら遊べるように適用され得ることを示したものであって、上部左側の図面は台車組立体を上部平面図として示したもので、上部右側の図面は台車組立体の斜視図を示したものであり、下部左側の図面は台車組立体の側面図を示したものであり、下部右側の図面は台車組立体の正面図を示したものである。
【００３９】
図１７は、幼児や児童がシーソーゲーム器具を作って遊び道具として適用可能な実施態様を示したものであって、幼児や児童に、本発明の技術思想が適用されて提供される単位ブロック３０及びその必要部品を提供し、左右のバランスを取って中心軸によりシーソーゲームを楽しめる構造を作らせて、幼児や児童が自らの手で実際に中心軸により左右のバランスを取らないとならないという原理を学びながら、遊びも楽しめるように適用され得ることを示したものであって、上部左側の図面はシーソーゲーム組立体を上部平面図として示したものであり、上部右側の図面はシーソーゲーム組立体の斜視図を示したものであり、下部左側の図面はシーソーゲーム組立体の側面図を示したものであり、下部右側の図面はシーソーゲーム組立体の正面図を示したものである。
【００４０】
図１８は、児童や生徒たちが１つの水平バーを有する鉄棒構造と複数の水平バーとして提供される梯子とクライミングを楽しむことができる垂直壁面に本発明の技術思想が適用されて提供される単位ブロック３０が設置され、単位ブロック中の貫通結合孔２１の中間ごとに手で掴むことができる突出部を有する複合運動器具を作ってみて、垂直壁面の中間ごとに形成された突出部を腕や足に頼って垂直壁面をよじ登る運動を実施するように適用される複合運動器具を作らせて、児童や生徒たちが自らの手で実際に鉄棒構造と梯子構造と垂直クライミングが可能な構造を作ってみるように適用され得る実施態様を示したものであって、上部左側の図面は複合運動器具の組立体を上部平面図として示したものであり、上部右側の図面は複合運動器具組立体の斜視図を示したものであり、下部左側の図面は複合運動器具の側面図を示したものであり、下部右側の図面は複合運動器具の正面図を示したものである。
【００４１】
図１９は、幼児や児童が、室内または室外でサッカーゴールポストを作っておいて、ボールを利用してゴール型の遊び道具として適用可能なサッカーゴールポストの実施態様を示したものであって、幼児や児童に、本発明の技術思想が適用されて提供される単位ブロック３０及びその必要部品を提供し、左右のバランスが取れるようにサッカーゴールポストを作っておいて、前面以外の部分にネットを設置してゴールポストの構造を作ってみて、これを利用してサッカーゲームも楽しめるように適用され得ることを示したものであって、上部左側の図面はサッカーゴールポスト組立体を上部平面図として示したものであり、上部右側の図面はサッカーゴールポスト組立体の斜視図を示したものであり、下部左側の図面はサッカーゴールポスト組立体の側面図を示したものであり、下部右側の図面はサッカーゴールポスト組立体の正面図を示したものである。
【００４２】
図２０は、前記図１９のサッカーゴールポスト組立体の中央部にバスケットボールゴールネットを有する構造の組み立て物を示したものであって、図１９の遊び道具を作って運動を実施した後、児童が飽きる程度になれば、図１９のサッカーのゴールポスト組立体の中央部で再び単位ブロック３０を積み上げてボードとボードの前面にリングが設置される構成のバスケットボールゴールネットを作ってみて、バスケットボールゴールネットにボールを入れる遊びを楽しめるように適用され得ることを示したものである。
【００４３】
図２１及び２２は、本発明で提供される単位ブロックの形状が図１〜図４のように単位ブロックが挿入部と結合部が一体に提供される構造が正方形状だけで提供されるものではなく、多様な形状に提供され得ることを示したものであって、図２１は、本発明の技術思想で提供される単位ブロックの挿入部と結合部が共に円形をなして一体に提供されることを示したものであり、図２２は、本発明で提供される単位ブロックの形状が、挿入部は円形で提供され、結合部は正方形状だけで提供されて適用され得ることを示したものであり、その他に結合部の内側に挿入部が嵌められる壁厚さの範囲で結合部の上端で挿入部が結合部の外壁の厚さだけ狭くなって、一体化する構造をなし、結合部及び挿入部の４つの側面は貫通結合孔が形成され、貫通結合孔の上下左右には部分拡管部が形成され、結合部の外壁の表面中央部には、内部拡張凹溝を有する構造を有するように提供されて貫通結合孔に結合支持軸が嵌められて組み立てられ、内部拡張凹溝には補助結合ピンが嵌められて堅固な結合構成をなすように適用される実施形態は同一に適用され得る。
【００４４】
図２３は、前記図１３と同じ形状の懸垂運動器具に適用可能な実施態様を示したものであって、図１３では、単位ブロック構造が正方形状に適用されて懸垂運動器具として適用したものに比べ、図２３では、単位ブロック構造が図２１のように単位ブロックの挿入部と結合部が共に円形をなして一体に提供された単位ブロックを利用して懸垂運動器具として適用したものであることに差異があるだけであり、上部左側の図面は懸垂運動器具組立体を上部平面図として示したものであり、上部右側の図面は懸垂運動器具組立体の斜視図を示したものであり、下部左側の図面は懸垂運動器具の正面図を示したものであり、下部右側の図面は懸垂運動器具の側面図を示したものである。
【００４５】
以上、多様な形態の適用例として、例えば、幼児や児童または生徒たちが本発明で提示される単位ブロック３０及びその結合部品を利用して様々な形状の、使用者の所望の運動器具や物を作ってみるだけでなく、実際にその物を活用して遊びに適用することで、教育課程及び体力鍛錬の興味を高めるように適用され得る。
【００４６】
また、本発明で提供される単位ブロック及びその結合部品を利用する場合、青少年にとっては、クライミングルートなどを作るビルディングブロック（ｂｕｉｌｄｉｎｇ  ｂｌｏｃｋ）などに利用可能であり、その他の建物や家具、装備または車両築造などにもいくらでも応用されて用いられる技術思想の発明であるところ、本発明で提示される技術思想は、図７〜図１７に提示される適用態様以外にも多様な変形の適用例があり得ると共に、本発明の特許請求の範囲は、この点に鑑みて均等論的に解釈され、保護されるべきである。
【図１】
0006741757.tif 000002
【図２】
0006741757.tif 000003
【図３】
0006741757.tif 000004
【図４】
0006741757.tif 000005
【図５】
0006741757.tif 000006
【図６】
0006741757.tif 000007
【図７】
0006741757.tif 000008
【図８】
0006741757.tif 000009
【図９】
0006741757.tif 000010
【図１０】
0006741757.tif 000011
【図１１】
0006741757.tif 000012
【図１２】
0006741757.tif 000013
【図１３】
0006741757.tif 000014
【図１４】
0006741757.tif 000015
【図１５】
0006741757.tif 000016
【図１６】
0006741757.tif 000017
【図１７】
0006741757.tif 000018
【図１８】
0006741757.tif 000019
【図１９】
0006741757.tif 000020
【図２０】
0006741757.tif 000021
【図２１】
0006741757.tif 000022
【図２２】
0006741757.tif 000023
【図２３】
0006741757.tif 000024